(57)【要約】【課題】  プレイリストを作成するときに車速に応じたリストを作ることで、プレイリストの再生を開始したときに車速に応じて自動的に楽曲を再生することができる車載音響装置を提供する。【解決手段】  車両に搭載され、前記車両に設けられて前記車両の速度を検出する車速検出器に接続される車載音響再生装置であって、  記録媒体に記録されたデータを再生して音声信号データおよび音声情報データの再生信号を出力するメディア再生部１０１と、車速情報出力部１２０から出力された車速とメディア再生部１０１が再生した音声情報データとを対応付けるマイコン１０４と、マイコン１０４に対応付けられた情報をプレイリストのデータとして記憶する記憶部１０５とを備え、マイコン１０４が記憶部１０５に記憶されたプレイリストに基づいてメディア再生部１０１の再生動作を制御する。【選択図】  図１
2010225235.tif 000002
【特許請求の範囲】
【請求項１】
車両に搭載され、前記車両に設けられて前記車両の速度を検出する車速検出器に接続される車載音響再生装置であって、
記録媒体に記録されたデータを再生して音声信号データおよび音声情報データの再生信号を出力するメディア再生部と、
前記車速検出器が検出した車速と前記メディア再生部が再生した音声情報データとを対応付ける制御部と、前記制御部に対応付けられた情報をプレイリストのデータとして記憶する記憶部とを備え、
前記制御部は、前記記憶部が記憶したプレイリストに基づいてメディア再生部の再生動作を制御することを特徴とする車載音響再生装置。
【請求項２】
前記制御部の前記車速検出器が検出した車速と前記メディア再生部が出力した音声情報との対応付けと前記記憶部の前記制御部に対応付けられた情報のプレイリストデータとしての記憶を実行させるための指示信号を発生するキー入力部を備えた請求項１記載の車載音響装置。
【請求項３】
マイクロコンピュータに、
検出された車両の速度と、記録媒体に記録された音声情報とを対応付けてプレイリストデータとして記憶させ、記憶したプレイリストデータに基づいて記録媒体の再生動作を制御させる音響再生方法。
【発明の詳細な説明】
【技術分野】
【０００１】
本発明は、記憶媒体に格納された楽曲をプレイリストに基づいて再生する車載音響再生装置および音響再生方法に関するものである。
【背景技術】
【０００２】
従来、楽曲再生装置として、主題に沿う楽曲を特定し、特定された楽曲を識別する情報を含むプレイリストを、所定のタイミングで作成し、作成されるプレイリストから、複数のプレイリストを抽出し、対応する主題を表示部に表示し、表示される主題から、入力部を介して要求される主題に対応するプレイリストを取得し、取得されたプレイリストにより識別される楽曲の音データを再生するものが知られている（例えば特許文献１参照）。
【特許文献１】特開２００６−２４３８５４号公報
【発明の開示】
【発明が解決しようとする課題】
【０００３】
しかしながら、従来のものにおいては、ユーザが作成もしくは自動で作成されたプレイリストをユーザが再生したい状況に合わせてユーザが選択して再生させるものであり、運転状況に合わせたプレイリストを運転状況に合わせて自動的に再生するものではなかった。
【０００４】
本発明は、プレイリストを作成するときに車速に応じたリストを作ることで、プレイリストの再生を開始したときに車速に応じて自動的に楽曲を再生することでプレイリスト選択の煩わしさを解消することを目的としている。
【課題を解決するための手段】
【０００５】
本発明の車載音響装置は、車両に搭載され、前記車両に設けられて前記車両の速度を検出する車速検出器に接続される車載音響再生装置であって、記録媒体に記録されたデータを再生して音声信号データおよび音声情報データの再生信号を出力するメディア再生部と、前記車速検出器が検出した車速と前記メディア再生部が再生した音声情報データとを対応付ける制御部と、前記制御部に対応付けられた情報をプレイリストのデータとして記憶する記憶部とを備え、前記制御部は、前記記憶部が記憶したプレイリストに基づいてメディア再生部の再生動作を制御する構成を有している。
【０００６】
また、本発明の車載音響装置は、前記制御部の前記車速検出器が検出した車速と前記メディア再生部が出力した音声情報との対応付けと前記記憶部の前記制御部に対応付けられた情報のプレイリストデータとしての記憶を実行させるための指示信号を発生するキー入力部を備えた構成を有している。
さらに、本発明の音響再生方法は、マイクロコンピュータに、検出された車両の速度と、記録媒体に記録された音声情報とを対応付けてプレイリストデータとして記憶させ、記憶したプレイリストデータに基づいて記録媒体の再生動作を制御させる構成を有している。
【０００７】
この構成により、運転状況に応じて自動作成したプレイリストを運転状況に合わせて再生することができる。
【発明の効果】
【０００８】
本発明は、運転状況に応じてプレイリストを自動的に作成して、これを自動的に再生することにより、運転時の快適性を向上させる車載音響装置を提供することができるものである。
【発明を実施するための最良の形態】
【０００９】
以下、本発明の実施の形態のプレイリスト自動作成・自動再生について、図面を用いて説明する。
【００１０】
本発明の実施の形態の車載音響装置の機能ブロック図を図１に示す。
【００１１】
図１において、車載音響装置としての車載オーディオ１００は、ＣＤ（CompactDisc）やＨＤＤ（Hard Disk Drive）、あるいは、半導体メモリなどを用いたメモリカードなどの記録媒体に記録された音楽や音声などのデータを再生して音声出力するための装置であり、記録媒体に記録されたデータを読み出して音声データや音声情報データを信号として出力するためのメディア再生部１０１と、メディア再生部１０１で再生した音声データの信号（音声信号）に対して音量や音質を変化させるなどの信号処理を行うオーディオプロセッサ１０２とオーディオプロセッサ１０３から出力された音声信号を電力増幅して出力するアンプ１０３とを備えている。
【００１２】
ここで、メディア再生部１０１が再生するデータとしては、少なくとも、音楽やナレーションなどの音声そのもののデータと、これら音楽やナレーションの曲名やタイトルあるいはアーティスト名など音声データに１対１対応した音声に関する情報を示すデータとがある。そして前者を音声データ、後者を音声情報データと呼び、さらに、音楽やナレーションの曲名やタイトルあるいはアーティスト名など音声データに１対１対応した音声に関する情報を音声情報と呼んでいる。
【００１３】
更に、車載オーディオ１００には、車載オーディオ１００全体を制御するためにＣＰＵなどの演算機能を有した制御部としてのマイクロコンピュータであるマイコン１０４と、マイコン１０４を介して各種データを保存するための記憶部１０５とユーザが車載オーディオ１００の操作を行うためのキー入力部１０６と車載オーディオ１００の動作状態などを表示するための表示部１０７とが備えられている。
【００１４】
したがって、ユーザが車載オーディオ１００に設けられたキー入力部１０６を操作することでユーザの操作に応じた操作信号がキー入力部１０６からマイコン１０４へ送信されて、操作信号を受信したマイコン１０４がユーザの操作内容を判定して操作内容に応じた制御信号を出力することで車載オーディオ１００が所望の動作を行うことになる。
【００１５】
例えば、ユーザがメディア再生部１０１の再生動作するようキー入力部１０６を操作すると、メディア再生部１０１にて記録媒体のデータを読み出す再生動作が開始して、メディア再生部１０１にて読み出された音声データがデコードされて音声信号としてオーディオプロセッサ１０２に出力される。オーディオプロセッサ１０２では入力された音声信号に対して、あらかじめユーザがキー入力部１０６を操作して設定していた音量や音質になるよう、信号処理を施して次段に設けられたアンプ１０３へ出力する。アンプ１０３ではアンプ１０３に入力された音声信号を所定のゲインで電力増幅して、車載オーディオ１００に接続されたスピーカ１３０へ出力する。オーディオプロセッサ１０２で信号処理され、アンプ１０３で増幅された音声信号は、スピーカ１３０から音声として出力される。ここでキー入力部は、ボタンスイッチやエンコーダボリューム、あるいはジョグシャトルやタッチパネルなどのいわゆる入力デバイスが用いられる。
【００１６】
さらに、車載オーディオ１００には、車載オーディオ１００が搭載される車両の速度を検出し、検出した速度を示す速度情報を出力する車速検出器としての車速情報出力部１２０が接続される。
【００１７】
車速情報出力部１２０は、車両に設けられたいわゆる車速センサなどが用いられるものであって、車両の速度情報をパルス信号もしくは車載ＬＡＮを構築しているＣＡＮのデータ信号として出力し、出力された信号は車載オーディオ１００のマイコン１０４へ入力される。
【００１８】
詳細は後述するが、マイコン１０４は、車速情報を用いて、現在の運転状況に適したプレイリストの作成と、現在の運転状況に適したプレイリストを再生するためにプレイリストを選択する。そして、記憶部１０５は、現在の車速情報やプレイリストのデータを記憶する。さらに、表示部１０７はプレイリストの選択を行うためにプレイリストの選択ボタンを表示し、キー入力部１０６は専用のボタンなどの入力デバイスなどによってプレイリストを選択する機能を有する。
【００１９】
また、キー入力部１０６は、図１に示すとおり、マイコン１０４にバス接続されていて後述するプレイリスト作成モードを「ＯＮ」するか「ＯＦＦ」するかの切り替えを行うための設定ボタンが設けられている。このキー入力部１０６の設定ボタンをユーザが押下することにより、操作情報がマイコン１０４によって検知され、マイコン１０４はプレイリスト作成モードがユーザによってＯＮされたのかＯＦＦされたのかを記憶部１０５に記憶する。
【００２０】
なお、車載オーディオ１００の外部から車載オーディオ１００に接続された車速情報出力部１２０とマイコン１０４とが結線されており、車速情報出力部１２０からマイコン１０４へデータとして車速情報が入力される。したがって、車両が走行することにより、現在の車速情報はマイコン１０４で演算または検知され、記憶部１０５に記憶される。
【００２１】
ここで、車速情報とは車速パルス信号が用いられたり、あるいは車速情報出力部１２０とマイコン１０４とがＣＡＮ（Controller Area Network）接続されている場合はＣＡＮ プロトコルに準じた形式の情報が用いられる。
【００２２】
以上のように構成された車載オーディオについて、図２および図３を用いてその動作を説明する。
【００２３】
なお、以下の説明においてプレイリスト作成モードとは、本実施の形態の車載オーディオが有する動作モードの一つであって、「運転状況」の一つとしての「車両の速度（車速）」に応じて、メディア再生部１０１に再生させる楽曲をリストとして作成し、記憶部１０５にそのリストのデータを記憶するモードである。
【００２４】
まず、車載オーディオ１００に搭載されているメディア再生部１０１の動作状態が任意の楽曲を再生中である場合に、再生されている楽曲のタイトルなど、再生されている楽曲を識別できる情報が再生情報として記憶部１０５に記憶される（Ｓ１）。
【００２５】
そして、このときに車速情報入力装置１２０から出力されている車速情報をマイコン１０４が取得し、現在走行中の車両の速度をマイコン１０４で算出して記憶部１０５へ出力し、これを記憶部１０５にて記憶する（Ｓ２）。ここで、車の速度は０ｋｍ／ｈから徐々に加速することを考慮して、運転開始時直後の１０秒間程度は取得したデータを採用せず、車速データは不明として扱い、記憶部１０５へ記憶する。
【００２６】
次に、既にキー入力部１０６で入力されたプレイリスト作成モードが「ＯＮ」に設定されているか、あるいは「ＯＦＦ」に設定されているかを記憶部１０５から読み出してマイコン１０４にて判断する（Ｓ３）。プレイリスト作成モードが「ＯＮ」に設定されているか、あるいは「ＯＦＦ」に設定されているかという操作情報は、あらかじめキー入力部１０６にバス接続されたマイコン１０４にて検知され、記憶部１０５に記憶されている。
【００２７】
ステップＳ３でプレイリスト作成モードが「ＯＮ」であったと判断した場合、ステップＳ２で算出した車速情報をマイコン１０４が記憶部１０５から読み出して、現在の車速が１０ｋｍ／ｈ未満であるか否かマイコン１０４が判断する（Ｓ４）。
【００２８】
ステップＳ４において、マイコン１０４が現在の車速は１０ｋｍ／ｈ未満であると判断した場合は、現在再生している楽曲に対する「ゆっくり」のカウント値を記憶部１０５から読み出し、マイコン１０４でカウントアップした後、カウントアップした後の値を記憶部１０５にて記憶させる（Ｓ７）。
【００２９】
また、ステップＳ４における判断がＮｏの場合は、現在の車速が６０ｋｍ／ｈ未満であるか否かマイコン１０４が判断する（Ｓ５）。
【００３０】
ステップＳ５において、マイコン１０４が現在の車速は６０ｋｍ／ｈ未満であると判断した場合、現在再生している楽曲に対する「おでかけ」のカウント値を記憶部１０５から読み出し、マイコン１０４でカウントアップした後、カウントアップした後の値を記憶部１０５にて記憶させる（Ｓ８）。
【００３１】
ステップＳ５における判断がＮｏの場合は、現在の車速が６１ｋｍ／ｈ以上であるか否かマイコン１０４が判断する（Ｓ６）。
【００３２】
ステップＳ６においてマイコン１０４が現在の車速は６１ｋｍ／ｈ以上であると判断した場合、現在再生している楽曲に対する「遠出」のカウント値を記憶部１０５から読み出し、マイコン１０４でカウントアップした後、カウントアップした後の値を記憶部１０５にて記憶させる（Ｓ９）。
【００３３】
ここで、ステップＳ６における判断がＮｏとなる場合のように、運転開始時より１０秒程度は車速は不明として扱うため、何れかのプレイリストへ登録できない場合も存在する。
【００３４】
次に、メディア再生装部１０１における楽曲再生状態が曲の終了状態もしくはユーザのスキップ操作などにより曲が変わった状態となったか否かをマイコン１０４が判定する（Ｓ１０）。
【００３５】
ステップＳ１０における判定がＮｏの場合は何もせずに処理が終わるが、Ｙｅｓの場合は、ステップＳ７、ステップＳ８、ステップＳ９でカウントした情報を記憶部４から読み出し、マイコン１０４にてカウントの最大値が「ゆっくり」「おでかけ」「遠出」の何れかに該当するか算出し、算出結果を記憶部１０５に記憶させる（Ｓ１１）。
【００３６】
その後ステップＳ１１にて記憶部１０５へ記憶させたカウントの最大値を読み出し、メディア再生部１０１で再生した楽曲に対して、「ゆっくり」のカウント値が上述したカウントの最大値であるかマイコン１０４が判断する（Ｓ１２）。
【００３７】
ステップＳ１２において「ゆっくり」がカウントの最大値であるとマイコン１０４が判断した場合は、再生した楽曲が「ゆっくり」の楽曲であるとして楽曲の再生情報を「ゆっ
くり」に対応付けて記憶部１０５へ記憶させる（Ｓ１５）。ここで、対応付けて記憶させるとは、図５に示すように、カウントの最大値に応じて「ＤＤＤ.ｍｐ３」という楽曲の再生情報を「ゆっくり」と１対１対応させて記憶部１０５に記憶させることであり、以下の説明においても同様である。
【００３８】
ステップＳ１２における判断結果がＮｏの場合は、「おでかけ」のカウント値がカウントの最大値であるか否かをマイコン１０４が判断する（Ｓ１３）。
【００３９】
ステップＳ１３において「おでかけ」がカウントの最大値であるとマイコン１０４が判断した場合は、再生した楽曲が「おでかけ」の楽曲であるとして再生した楽曲の再生情報を「おでかけ」に対応付けて記憶部１０５へ記憶させる（Ｓ１６）。
【００４０】
ステップＳ１３における判断結果がＮｏの場合は、「遠出」のカウント値がカウントの最大値であるか否かをマイコン１０４がで判断する（Ｓ１４）。
【００４１】
ステップＳ１４において「遠出」がカウントの最大値であるとマイコン１０４が判断した場合は、再生した楽曲が「遠出」の楽曲であるとして、再生した楽曲の再生情報を「遠出」に対応付けて記憶部１０５へ記憶させる（Ｓ１７）。
【００４２】
以上の説明に加え、図５にも示すとおり記憶したプレイリスト情報は楽曲毎に「ゆっくり」「おでかけ」「遠出」の何れかにひも付けし、プレイリストデータベースとして記憶部１０５へ記憶する。
【００４３】
ステップＳ３においてマイコン１０４がプレイリスト作成モードが「ＯＦＦ」であったと判断した場合、メディア再生部１０１にて再生した楽曲に対するプレイリストの作成は行われず、以下の処理が行われる。
【００４４】
すなわち、ステップＳ２で算出した車速情報を記憶部１０５から読み出し、現在の車速が１０ｋｍ／ｈ未満であるか否かをマイコン１０４が判断する（Ｓ１８）。
【００４５】
ステップＳ１８において現在の車速が１０ｋｍ／ｈ未満であると判断した場合は、「ゆっくり」のプレイリストを再生することを決定し、マイコン１０４は上述のプレイリストデータベースを記憶部１０５から読み出し、「ゆっくり」に対応付けして記憶されている楽曲を選曲し、メディア再生部１０１に対して楽曲を再生するよう指示を行う（Ｓ２０）。
【００４６】
ステップＳ１８における判断がＮｏの場合、すなわち現在の車速が１０ｋｍ／ｈ未満ではないと判断した場合は、現在の車速が６０ｋｍ／ｈ未満であるか否かをマイコン１０４が判断する（Ｓ１９）。
【００４７】
ステップＳ１９において現在の車速が６０ｋｍ／ｈ未満であると判断した場合は、「おでかけ」のプレイリストを再生することを決定し、マイコン１０４はプレイリストデータベースを記憶部１０５から読み出し、「おでかけ」に対応付けして記憶されている楽曲を選曲し、メディア再生部１０１に対して楽曲を再生するよう指示を行う（Ｓ２１）。
【００４８】
ステップＳ１９における判断がＮｏの場合は、現在の車速が６１ｋｍ／ｈ以上であるとマイコン１０４が判断し、「遠出」のプレイリストを再生することを決定し、マイコン１０４はプレイリストデータベースを記憶部１０５から読み出し、「遠出」に対応付けして記憶されている楽曲を選曲し、メディア再生部１０１に対して楽曲を再生するよう指示を行う（Ｓ２２）。
【００４９】
ここで、車速が１０ｋｍ／ｈ、６０ｋｍ／ｈの閾値付近で増減した場合、再生しているプレイリストが素早く変化してしまうため、既に再生している曲に対しては利便性を考慮して、速度情報が変わったとしても最後まで聞くこととする。ただし、この場合ユーザが曲の途中でスキップした場合も最後まで聞いたと判断する。
【００５０】
また、例えばプレイリスト作成モードを「ＯＦＦ」設定にしておき、高速道路を走行した場合、過去に「遠出」で登録された楽曲群を自動で再生することが可能である。
【００５１】
さらに図６に示すように、ユーザの利便性を考慮して、プレイリスト再生モードとして「ゆっくり」「おでかけ」「遠出」「速度自動」の選択も可能にしてもよい。この場合、「ゆっくり」の場合はプレイリストデータベースに登録された「ゆっくり」のプレイリストを再生し、「おでかけ」の場合はプレイリストデータベースに登録された「おでかけ」のプレイリストを再生し、「遠出」の場合はプレイリストデータベースに登録された「遠出」のプレイリストを再生する。「速度自動」の場合は前述の速度に応じたプレイリストを再生する。
【００５２】
以上説明したとおり、本発明の実施の形態の車載オーディオ１００によれば、車速に応じたプレイリストを自動作成し、作成したプレイリストに対して、車速に応じたプレイリストを自動再生することができる。したがって、運転状況に合わせて保存したプレイリストを運転状況に合わせて再生できるため、運転手に快適な楽曲再生を提供が可能になる。
【産業上の利用可能性】
【００５３】
以上のように、本発明にかかる車載オーディオは、単なるプレイリストの登録・再生ではなく、運転状況に応じたプレイリストの自動作成と自動再生を提供することにより、運転時の快適性を向上させる再生方法であるという効果を有し、記憶媒体に格納された楽曲をプレイリストに基づいて再生する車載音響再生装置に関するものとして有用である。
【図面の簡単な説明】
【００５４】
【図１】本発明の実施の形態における車載音響装置のブロック図
【図２】本発明の実施の形態における車載音響装置の動作説明のためのフロー図
【図３】本発明の実施の形態における車載音響装置の動作説明のためのフロー図
【図４】本発明の実施の形態における車載音響装置のプレイリスト作成モードを設定するための設定ボタンの一例を示す図
【図５】本発明の楽曲毎のプレイリスト再生登録状況を示すプレイリストのデータベースを示す図
【図６】プレイリスト再生モードを選択可能に実行させるためのボタンの一例を示す図
【符号の説明】
【００５５】
１００  車載オーディオ
１０１  メディア再生部
１０２  オーディオプロセッサ
１０３  アンプ
１０４  マイコン
１０５  記憶部
１０６  キー入力部
１０７  表示部
１２０  車速情報出力部
１３０  スピーカ
【図１】
2010225235.tif 000003
【図２】
2010225235.tif 000004
【図３】
2010225235.tif 000005
【図４】
2010225235.tif 000006
【図５】
2010225235.tif 000007
【図６】
2010225235.tif 000008